(57)【要約】【課題】工具を使用せずに指で配線器具を配線器具用取付け枠から取り外すことができる配線器具用取付け枠を提供する【解決手段】配線器具用取付け枠１に、配線器具３の側面に設けられる係合爪３ｄに係合し、可撓性を有する少なくとも一つの可撓片１４ａ〜１４ｄを設ける。配線器具用取付け枠１の前面１１ａに、前方側から可撓片１４ａ〜１４ｄの先端部１６に指が触れられるように可撓片１４ａ〜１４ｄの先端部１６を露出させる操作開口２２ａ〜２２ｃを設ける。配線器具用取付け枠１の前方側から指で可撓片１４ａ〜１４ｄを撓ませて、配線器具３の係合爪３ｄと可撓片１４ａ〜１４ｄとの係合を解除する。【選択図】図３
2019146342.tif 000002
【特許請求の範囲】
【請求項１】
配線器具の機能面を露出させる開口を前面に有し、前記配線器具が着脱可能に取り付けられる配線器具用取付け枠であって、
前記配線器具の側面に設けられる係合爪に係合し、可撓性を有する少なくとも一つの可撓片と、
前記配線器具用取付け枠の前記前面に設けられ、前方側から前記可撓片の先端部に指が触れられるように前記可撓片の前記先端部を露出させる操作開口と、を備え、
前記配線器具用取付け枠の前方側から指で前記可撓片を撓ませて、前記配線器具の前記係合爪と前記可撓片との係合を解除する配線器具用取付け枠。
【請求項２】
前記可撓片の前記先端部の端面を前記配線器具用取付け枠の前記前面と略同一平面に配置し、又は前記可撓片の前記先端部の端面を前記配線器具用取付け枠の前記前面よりも前方に配置することを特徴とする請求項１に記載の配線器具用取付け枠。
【請求項３】
前記開口が形成される前記配線器具用取付け枠の前面パネルから後方に突出するリブを設け、
前記リブに前記可撓片の基部を一体に形成することを特徴とする請求項１又は２に記載の配線器具用取付け枠。
【請求項４】
一対の前記可撓片が前記開口を挟んで対向することを特徴とする請求項１ないし３のいずれか一項に記載の配線器具用取付け枠。
【請求項５】
前記配線器具用取付け枠に少なくとも２つの前記配線器具を前記配線器具の長幅方向に並べられるように少なくとも２つの開口を形成し、
隣り合う一対の前記開口の間に配置される一対の前記可撓片の基部を、互いに一体に形成することを特徴とする請求項１ないし４のいずれか一項に記載の配線器具用取付け枠。
【請求項６】
前記操作開口の前記開口側の壁面と前記可撓片との間に隙間を設けることを特徴とする請求項１ないし５のいずれか一項に記載の配線器具用取付け枠。
【発明の詳細な説明】
【技術分野】
【０００１】
本発明は、家具の天板、建築物の壁等の造営面に配線器具を埋設するための配線器具用取付け枠に関する。
【背景技術】
【０００２】
従来、家具の天板、建築物の壁等の造営面に配線器具を埋設するために、造営面に埋込み穴を設け、埋込み穴に埋め込まれる配線器具を配線器具用取付け枠に取り付け、配線器具用取付け枠を造営面に取り付けることが行われている（特許文献１参照）。見栄えをよくするために、配線器具用取付け枠は化粧プレートで覆われる。
【０００３】
この配線器具用取付け枠は、配線器具の機能面（コンセント若しくはＵＳＢの差込み口が設けられた面、又はスイッチの操作体が設けられた面等）を露出させる開口を前面に有する。配線器具を配線器具用取付け枠に着脱可能にするために、配線器具用取付け枠には、開口を挟んで対向する固定片と可撓片とが設けられる。配線器具の側面には、固定片と可撓片に係合する係合爪が設けられる。配線器具を配線器具用取付け枠の開口に挿入すると、配線器具の係合爪と配線器具用取付け枠の固定片及び可撓片が係合する。これにより、配線器具が配線器具用取付け枠に取り付けられる。
【０００４】
また、配線器具用取付け枠の前面には、固定片を露出させる操作開口が設けられる。配線器具を配線器具用取付け枠から取り外すとき、マイナスドライバ等の工具を、操作開口を介して固定片と配線器具との間に挿入する。そして、梃子の原理を利用して配線器具を可撓片に向かって押し、配線器具の係合爪と固定片との係合を解除する。これにより、配線器具が配線器具用取付け枠から取り外される。
【先行技術文献】
【特許文献】
【０００５】
【特許文献１】特開２００１−２１１５２３号公報
【発明の概要】
【発明が解決しようとする課題】
【０００６】
しかし、従来の配線器具用取付け枠にあっては、配線器具を配線器具用取付け枠から取り外すのに工具を必要とするという課題がある。
【０００７】
そこで、本発明は、工具を使用せずに指で配線器具を配線器具用取付け枠から取り外すことができる配線器具用取付け枠を提供することを目的とする。
【課題を解決するための手段】
【０００８】
上記課題を解決するために、本発明の一態様は、配線器具の機能面を露出させる開口を前面に有し、前記配線器具が着脱可能に取り付けられる配線器具用取付け枠であって、前記配線器具の側面に設けられる係合爪に係合し、可撓性を有する少なくとも一つの可撓片と、前記配線器具用取付け枠の前記前面に設けられ、前方側から前記可撓片の先端部に指が触れられるように前記可撓片の前記先端部を露出させる操作開口と、を備え、前記配線器具用取付け枠の前方側から指で前記可撓片を撓ませて、前記配線器具の前記係合爪と前記可撓片との係合を解除する配線器具用取付け枠である。
【発明の効果】
【０００９】
本発明によれば、工具を使用せずに指で配線器具を配線器具用取付け枠から取り外すことができる。また、可撓片の先端部が配線器具用取付け枠の操作開口内に配置されるので、誤って指が可撓片の先端部に触れて、配線器具用取付け枠から配線器具が外れるのを防止することができる。
【図面の簡単な説明】
【００１０】
【図１】本発明の第１の実施形態の配線器具用取付け枠、配線器具、化粧プレートの斜視図である。
【図２】本実施形態の配線器具用取付け枠をテーブルに取り付けた状態を示す斜視図である。
【図３】本実施形態の配線器具用取付け枠の拡大斜視図である（図３（ａ）は前面側斜視図、図３（ｂ）は背面側斜視図）。
【図４】本実施形態の配線器具用取付け枠の詳細図である（図４（ａ）は平面図、図４（ｂ）は図４（ａ）のｂ−ｂ線断面図）。
【図５】配線器具を本実施形態の配線器具用取付け枠に取り付ける手順を示す断面図である。
【図６】配線器具を本実施形態の配線器具用取付け枠に取り付けた状態を示す図である（図６（ａ）は平面図、図６（ｂ）は図６（ａ）のｂ−ｂ線断面図）。
【図７】ＵＳＢコンセントを本実施形態の配線器具用取付け枠に取り付ける手順を示す断面図である。
【図８】ＵＳＢコンセントを本実施形態の配線器具用取付け枠に取り付けた状態を示す図である（図８（ａ）は平面図、図８（ｂ）は図８（ａ）のｂ−ｂ線断面図）。
【発明を実施するための形態】
【００１１】
以下、添付図面に基づいて、本発明の実施形態の配線器具用取付け枠（以下、単に取付け枠という）を詳細に説明する。ただし、本発明の取付け枠は種々の形態で具体化することができ、本明細書に記載される実施形態に限定されるものではない。本実施形態は、明細書の開示を十分にすることによって、当業者が発明の範囲を十分に理解できるようにする意図をもって提供されるものである。
【００１２】
図１は、本発明の第１の実施形態の取付け枠１をテーブルの天板２に取り付ける例を示す。３はコンセント等の配線器具、４は化粧プレートである。なお、以下では、説明の便宜上、取付け枠１を平面視した時の方向、すなわち図１に示す前後、左右、上下の各方向を用いて、取付け枠１の構成を説明する。もちろん、取付け枠１の配置はこのような配置に限られるものではない。
【００１３】
テーブルの天板２には、平面視で長方形の埋込み穴２ａが形成される。この埋込み穴２ａに配線器具３が埋め込まれる。埋込み穴２ａの前面の周囲には、埋込み穴２ａよりも大きい長方形の掘込み２ｂが形成される。掘込み２ｂの底面の取付け座２ｃに取付け枠１が取り付けられる。
【００１４】
取付け枠１には、配線器具３が着脱可能に取り付けられる。取付け枠１の前面には、配線器具３の機能面を露出させる開口１ａ，１ｂが形成される。取付け枠１の左右方向の両端部には、取付け枠１を取付け座２ｃに取り付けるための通し穴１ｃが形成される。５は取付け枠１を取付け座２ｃに取り付けるためのねじである。
【００１５】
配線器具３は、樹脂製のボディ３ａと樹脂製のカバー３ｂとを一対の金属製の組立枠３ｃによって結合したものである。配線器具３の左右の側面、すなわち組立枠３ｃの側端面からは一対の係合爪３ｄが突出する。
【００１６】
図２に示すように、配線器具３と取付け枠１とはテーブルの天板２に埋め込まれる。取付け枠１は、天板２に載せられる化粧プレート４によって覆われる。化粧プレート４は、取付け枠１に設けた複数のフック１ｄに着脱可能に取り付けられる。化粧プレート４は、配線器具３を露出させる開口４ａ，４ｂを有する。
【００１７】
図３（ａ）は取付け枠１の前面側斜視図を示し、図３（ｂ）は取付け枠１の背面側斜視図を示す。取付け枠１は、開口１ａ，１ｂが形成される前面パネル１１と、前面パネル１１から後方に突出するリブ１２と、を備える。リブ１２は開口１ａ，１ｂの周縁に枠状に形成される。取付け枠１は樹脂製であり、前面パネル１１とリブ１２とは一体に形成される。
【００１８】
図３（ａ）に示すように、前面パネル１１は、左右方向に長い長方形状である。前面パネル１１には、配線器具３を左右方向、すなわち配線器具３の長幅方向に並べられるように２つの開口１ａ，１ｂが形成される。なお、開口１ａ，１ｂの数は、配線器具３の数に合わせて１つにすることも、２つにすることも、３つ以上にすることもできる。
【００１９】
リブ１２には、可撓性を有する可撓片１４ａ〜１４ｄが一体に形成される。一対の可撓片１４ａ，１４ｂが開口１ａを挟んで対向し、一対の可撓片１４ｃ，１４ｄが開口１ｂを挟んで対向する。図３（ｂ）に示すように、可撓片１４ａ〜１４ｄの基部１５がリブ１２に一体に形成される。可撓片１４ａ〜１４ｄは片持ち梁状である。可撓片１４ａ〜１４ｄの後方向の基部１５が固定端であり（図３（ｂ）参照）、可撓片１４ａ〜１４ｄの前方向の先端部１６が自由端である（図３（ａ）参照）。
【００２０】
図３（ｂ）に示すように、可撓片１４ａ〜１４ｄは左右方向視で略凸状である。可撓片１４ａ〜１４ｄの肩部１７に配線器具３の係合爪３ｄが係合する。可撓片１４ａ〜１４ｄの頭部１８には、配線器具３の組立枠３ｃ（図１参照）の前面に係合する段差１８ａが形成される。可撓片１４ａ〜１４ｄの側面であって配線器具３の係合爪３ｄに対向する部分には傾斜面１９が形成される。この傾斜面１９に配線器具３の係合爪３ｄが当接して沿うことにより、可撓片１４ａ〜１４ｄが開口１ａ，１ｂの外側に撓む。
【００２１】
図４（ｂ）の断面図に示すように、隣り合う開口１ａ，１ｂ間に配置される一対の可撓片１４ｂ，１４ｃの基部１５は互いに一体に形成される。上記のように基部１５はリブ１２に一体に形成される。このため、一対の可撓片１４ｂ，１４ｃは、図４（ｂ）に示す断面視でＹ字状である。
【００２２】
図３（ａ）、図３（ｂ）、図４（ｂ）に示すように、前面パネル１１の開口１ａ，１ｂの両縁には、前面パネル１１から後方に突出する受け部２１が形成される。取付け枠１に配線器具３を取り付けたとき、配線器具３の組立枠３ｃ（図１参照）が受け部２１に当接して、配線器具３の前方向の移動が制限される。そして、配線器具３の係合爪３ｄが可撓片１４ａ〜１４ｄの肩部１７に係合して、配線器具３の後方向への移動が制限される。また、配線器具３が取付け枠１の開口１ａ，１ｂに嵌まり、配線器具３の左右方向及び上下方向の移動が制限される。
【００２３】
図３（ａ）に示すように、前面パネル１１には、可撓片１４ａ〜１４ｄの先端部１６を露出させる操作開口２２ａ〜２２ｃが形成される。操作開口２２ａは開口１ａの左側に、操作開口２２ｂは開口１ａと開口１ｂとの間に、操作開口２２ｃは開口１ｂの右側に配置される。
【００２４】
可撓片１４ａ〜１４ｄの先端部は、前面パネル１１の前方側から指で振れられるように配置される。図４（ａ）、図４（ｂ）に示すように、前面パネル１１の前面１１ａと可撓片１４ａ〜１４ｄの先端部１６の端面１６ａとは略同一平面上に配置される。
【００２５】
図４（ａ）に示すように、操作開口２２ａ〜２２ｃの開口１ａ，１ｂ側の壁面２２ａ１，２２ｂ１，２２ｃ１と可撓片１４ａ〜１４ｄとの間には隙間２４が設けられる。この隙間２４は指で可撓片１４ａ〜１４ｄを撓ませ易くするために、またマイナスドライバ等の工具を挿入するために設けられる。工具を位置決めできるように、操作開口２２ａ〜２２ｃの開口１ａ，１ｂ側の部分の幅は、可撓片１４ａ〜１４ｄが配置される部分の幅よりも狭い。
【００２６】
以下に、図５、図６を参照して、配線器具３を取付け枠１に着脱する手順を説明する。まず、図５（ａ）、図５（ｂ）に示すように、配線器具３の一方の係合爪３ｄを一方の可撓片１４ｄの肩部１７に係合させ、配線器具３の他方の係合爪３ｄを他方の可撓片１４ｃの傾斜面１９に沿って前方向（図５（ｂ）の上方向）へ移動させる。係合爪３ｄを傾斜面１９に沿わせて移動させることにより、可撓片１４ｃが開口１ｂの外側（図５（ｂ）の左側）に移動して撓む。配線器具３の係合爪３ｄが可撓片１４ｃの傾斜面１９を乗り越えると、可撓片１４ｃが復元して、係合爪３ｄが可撓片１４ｃの肩部１７に乗り上げる。これにより、図６（ａ）（ｂ）に示すように、配線器具３が取付け枠１に取り付けられる。
【００２７】
なお、図５（ｃ）に示すように、はじめに配線器具３の他方の係合爪３ｄを他方の可撓片１４ｃの肩部１７に係合させ、その後、配線器具３の一方の係合爪３ｄを一方の可撓片１４ｄの傾斜面１９に沿って前方向（図５（ｃ）の上方向）へ移動させても、配線器具３を取付け枠１に取り付けることができる。
【００２８】
配線器具３を取付け枠１から取り外すときは、取付け枠１の前方側から指で操作開口２２ａ〜２２ｃを介して可撓片１４ａ〜１４ｄを開口１ａ，１ｂの外側に撓ませる（図３参照）。これにより、可撓片１４ａ〜１４ｄと配線器具３の係合爪３ｄとの係合を解除することができる。ここで、開口１ａ，１ｂを挟んで対向する一対の可撓片１４ａ，１４ｂ又は１４ｃ，１４ｄの両方を撓ませても、いずれか一方を撓ませてもよい。
【００２９】
図７（ａ）、図７（ｂ）は、配線器具としてＵＳＢコンセントを取付け枠１に取り付ける手順を示す。配線器具３１がＵＳＢコンセントでも、取付け手順は同一である。すなわち、配線器具３１の一方の係合爪３１ｄを一方の可撓片１４ｄの肩部１７に係合させ、配線器具３１の他方の係合爪３１ｄを他方の可撓片１４ｃの傾斜面１９に沿って前方向（図７（ａ）の上方向）へ移動させる。係合爪３１ｄを傾斜面１９に沿わせて移動させることにより、図７（ｂ）に示すように、可撓片１４ｃが開口１ｂの外側（図７（ｂ）の左側）に移動して撓む。その後、可撓片１４ｃが復元して、係合爪３１ｄが可撓片１４ｃの肩部１７に係合する（図８（ｂ）参照）。これにより、配線器具３１が取付け枠１に取り付けられる。取付け枠１から配線器具３１を取り外す手順も、配線器具３と同様である。
【００３０】
以上に本実施形態の取付け枠１の構成を説明した。本実施形態の取付け枠１によれば、以下の効果を奏する。
【００３１】
本実施形態の取付け枠１によれば、工具を使用せずに指で配線器具３，３１を取付け枠１から取り外すことができる。また、可撓片１４ａ〜１４ｄの先端部１６が取付け枠１の操作開口２２ａ〜２２ｃ内に配置されるので、誤って指が可撓片１４ａ〜１４ｄの先端部１６に触れて、取付け枠１から配線器具３が外れるのを防止することができる。
【００３２】
取付け枠１の前面１１ａと可撓片１４ａ〜１４ｄの先端部１６の端面１６ａとを略同一平面に配置するので、可撓片１４ａ〜１４ｄを操作し易い。また、化粧プレート４が可撓片１４ａ〜１４ｄに当たるのを防止することができる。
【００３３】
前面パネル１１から後方に突出するリブ１２を設け、リブ１２に可撓片１４ａ〜１４ｄの基部１５を一体に形成するので、片持ち状の撓み易い可撓片１４ａ〜１４ｄにすることができる。
【００３４】
一対の可撓片１４ａ，１４ｂ又は１４ｃ，１４ｄが開口１ａ，１ｂを挟んで対向するので、一対の可撓片１４ａ，１４ｂ又は１４ｃ，１４ｄを撓ませることがき、配線器具３，３１を取付け枠１から容易に取り外すことができる。
【００３５】
隣り合う一対の開口１ａ，１ｂ間に配置される一対の可撓片１４ｂ，１４ｃの基部１５を互いに一体に形成するので、隣り合う一対の開口１ａ，１ｂ間の幅を狭くすることができ、取付け枠１を小型にすることができる。
【００３６】
操作開口２２ａ〜２２ｃの開口１ａ，１ｂ側の壁面２２ａ１，２２ｂ１，２２ｃ１と可撓片１４ａ〜１４ｄとの間に隙間２４を設けるので、指で可撓片１４ａ〜１４ｄを撓ませ易くなるし、工具を使用して、梃子の原理で可撓片１４ａ〜１４ｄを撓ませることもできる。
【００３７】
なお、本発明は、上記実施形態に具現化されるのに限られることはなく、本発明の要旨を変更しない範囲で様々な実施形態に具現化可能である。
【００３８】
上記実施形態では、取付け枠をテーブルの天板に取り付けた例を説明したが、取付け枠を建築物の壁面、床面、天井に取り付けることもできる。この場合、取付け枠を建築物の壁面等に埋め込んだ埋込ボックスに取り付けることもできる。
【００３９】
上記実施形態では、取付け枠に複数の配線器具を配線器具の長幅方向に並べているが、取付け枠に複数の配線器具を配線器具の短幅方向に並べることもできる。
【００４０】
配線器具には、コンセント、スイッチ、ＵＳＢコンセント、情報コンセント（通信系モジュラコンセント、ＴＶコンセント）等を用いることができる。
【００４１】
上記実施形態では、可撓片の先端部の端面を配線器具用取付け枠の前面と略同一平面に配置しているが、可撓片の先端部の端面を配線器具用取付け枠の前面よりも前方に配置することもできる。これにより、指で可撓片をより操作し易くなる。
【符号の説明】
【００４２】
１…配線器具用取付け枠
１ａ，１ｂ…開口
２…テーブルの天板
３…配線器具
３ｄ…配線器具の係合爪
４…化粧プレート
１１…前面パネル
１１ａ…前面
１２…リブ
１４ａ〜１４ｄ…可撓片
１５…可撓片の基部
１６…可撓片の先端部
１６ａ…可撓片の先端部の端面
２２ａ〜２２ｃ…操作開口
３１…配線器具
３１ｄ…配線器具の係合爪
【図１】
2019146342.tif 000003
【図２】
2019146342.tif 000004
【図３】
2019146342.tif 000005
【図４】
2019146342.tif 000006
【図５】
2019146342.tif 000007
【図６】
2019146342.tif 000008
【図７】
2019146342.tif 000009
【図８】
2019146342.tif 000010